(57)【要約】  プロセッサは、イベントシステムが第１のモードにあることに基づいて、第１の項目のユーザデバイスへの第１の通信を引き起こすことができ、第１のモードは、イベントシステムが、ユーザデバイスからの要求なしに、項目のメモリへの入力に応答して、ユーザデバイスへの項目の通信を引き起こす構成である。第１の通信の後、プロセッサは、イベントシステムを第２のモードにすることができ、第２のモードは、イベントシステムにユーザデバイスへの項目の通信を控えさせるようにした構成とすることができる。プロセッサは、ユーザデバイスから信号を受信して、イベントシステムを第２のモードから第１のモードに切り替えることができる。信号を受信した後、第２の項目が情報メモリに入力され得る。プロセッサは、第２の項目のユーザデバイスへの第２の通信を引き起こすことができる。
2021530795.tif 000002
【特許請求の範囲】
【請求項１】
情報項目を通信するための方法であって、
第１のトピックに関連する第１の情報項目を情報メモリに入力することと、
イベントシステムのプロセッサによって、前記第１の情報項目の第１のユーザデバイスへの第１の通信を引き起こすことであって、前記第１の通信は、前記イベントシステムが第１のユーザデバイスおよび前記第１のトピックに関して第１のモードであることに基づき、前記第１のモードは、ユーザデバイスからの要求なしに、前記情報項目の前記情報メモリへの入力に応答して、情報項目の前記ユーザデバイスへの通信を前記イベントシステムにさせる構成であって、前記第１のユーザデバイスは、前記第１のトピックに関連する情報項目を受信するための第１のサブスクリプションを有する第１のエンティティと関連付けられている、ことと、
前記第１の通信を引き起した後、前記プロセッサによって、前記イベントシステムを前記第１のユーザデバイスおよび前記第１のトピックに関して第２のモードにすることであって、前記第２のモードは、前記イベントシステムに前記情報項目の前記ユーザデバイスへの通信を控えさせるようにした構成である、ことと、
前記プロセッサによって、前記第１のユーザデバイスから第１の信号を受信して、前記イベントシステムを前記第１のユーザデバイスおよび前記第１のトピックに関して前記第２のモードから前記第１のモードに切り替えることと、
前記第１の信号を受信した後、前記第１のトピックに関連する第２の情報項目を前記情報メモリに入力することと、
前記プロセッサによって、前記第２の情報項目の前記第１のユーザデバイスへの第２の通信を引き起こすことであって、前記第２の通信は、前記イベントシステムが前記第１のユーザデバイスおよび前記第１のトピックに関して前記第１のモードにあることに少なくとも部分的に基づくことと、を含む方法。
【請求項２】
前記プロセッサによって、前記第１のユーザデバイスから第２の信号を受信して、前記イベントシステムを前記第１のユーザデバイスおよび前記第１のトピックに関して前記第２のモードにすることをさらに含む、請求項１に記載の方法。
【請求項３】
前記プロセッサによって、前記第１の通信の前に、アクセス制御メモリから、前記第１のトピックに関する前記第１の情報項目を受信するための前記第１のサブスクリプションを有する前記第１のエンティティを識別する第１の情報の検索を引き起こすことをさらに含む、請求項１に記載の方法。
【請求項４】
前記アクセス制御メモリは前記情報メモリと組み合わされる、請求項３に記載の方法。
【請求項５】
前記イベントシステムを前記第１のユーザデバイスおよび前記第１のトピックに関して前記第２のモードにした後、前記第１の信号を受信する前に、前記第１のトピックに関連する第３の情報項目を前記情報メモリに入力することと、
前記プロセッサによって、前記第３の情報項目の前記第１のユーザデバイスへの第３の通信を引き起こすことであって、前記第３の通信は、前記イベントシステムが前記第１のユーザデバイスおよび前記第１のトピックに関して前記第１のモードであることに部分的に基づく、ことと、をさらに含む、請求項１に記載の方法。
【請求項６】
前記第３の情報項目は、複数の第３の情報項目を含む、請求項５に記載の方法。
【請求項７】
第１の信号は値を含み、前記値は前記第３の情報項目の要求された数であり、
前記第３の通信は、前記複数の第３の情報項目の数と前記第３の情報項目の前記要求された数のうちのより少ない方の通信を含む、請求項６に記載の方法。
【請求項８】
第１の信号は値を含み、前記値は、前記情報項目を受信するための、前記第１のユーザデバイスのユーザデバイスメモリの利用可能なメモリ容量に関する情報であり、
第３の通信は、前記複数の第３の情報項目の数と、前記利用可能なメモリ容量に関する前記情報に対応する第３の情報の数のうちの少ない方の通信を含む、請求項６に記載の方法。
【請求項９】
前記イベントシステムを、前記第１のユーザデバイスおよび前記第１のトピックに関して前記第２のモードにすることは、第１の時間において、前記イベントシステムを前記第１のユーザデバイスおよび前記第１のトピックに関して前記第２のモードすることを含み、
前記第３の情報項目を入力することは、
前記第１の時間と第２の時間との間に、前記複数の第３の情報項目の第１の部分を入力することと、
前記第２の時間と第３の時間との間に、前記複数の第３の情報項目の第２の部分を入力することと、
前記第１の信号を受信することは、前記第３の時間において、前記第１の信号を受信することを含み、
第３の通信は、前記複数の第３の情報項目のうちの前記第１の部分の通信を含む、請求項６に記載の方法。
【請求項１０】
前記イベントシステムを前記第１のユーザデバイスおよび前記第１のトピックに関して第２のモードにすることは、第１の時間において、前記イベントシステムを前記第１のユーザデバイスおよび前記第１のトピックに関して第２のモードにすることを含み、
前記第３の情報項目を入力することは、
前記第１の時間と第２の時間との間に、前記複数の第３の情報項目の第１の部分を入力することと、
前記第２の時間と第３の時間との間に、前記複数の第３の情報項目の第２の部分を入力することと、
前記第１の信号を受信することは、前記第３の時間において、前記第１の信号を受信することを含み、
前記第３の通信は、前記複数の第３の情報項目の第２の部分の通信を含む、請求項６に記載の方法。
【請求項１１】
前記プロセッサによって、前記プロセッサと前記第１のユーザデバイスとの間のネットワーク帯域幅容量の測定値を得ることと、
前記プロセッサによって、前記ネットワーク帯域幅容量の前記測定値に基づいて、一定時間内に前記第１のユーザデバイスに通信可能な前記第３の情報項目の数を決定することと、をさらに含み、
前記第３の通信は、前記複数の第３の情報項目の数と、前記一定時間内に前記第１のユーザデバイスに通信可能な前記第３の情報項目の前記数のうちの少ない方の通信を含む、請求項６に記載の方法。
【請求項１２】
第２のトピックに関連する第３の情報項目を前記情報メモリに入力することと、
前記プロセッサによって、前記第３の情報項目の前記第１のユーザデバイスへの第３の通信を引き起こすことであって、前記第３の通信は、前記イベントシステムが前記第１のユーザデバイスおよび前記第２のトピックに関して第１のモードにあることに少なくとも部分的に基づき、前記第１のエンティティは、前記第２のトピックに関連する情報項目を受信するための第２のサブスクリプションを有する、ことと、
前記第３の通信を引き起こした後、前記プロセッサによって、前記イベントシステムを前記第１のユーザデバイスおよび前記第２のトピックに関して前記第２のモードにすることと、
前記プロセッサによって、前記第１のユーザデバイスから第２の信号を受信して、前記イベントシステムを前記第１のユーザデバイスおよび前記第２のトピックに関して前記第２のモードから前記第１のモードに切り替えることと、
前記第２の信号を受信した後、前記第２のトピックに関連する第４の情報項目を情報メモリに入力することと、
前記プロセッサによって、前記第４の情報項目の前記第１のユーザデバイスへの第４の通信を引き起こすことであって、前記第４の通信は、前記イベントシステムが前記第１のユーザデバイスおよび前記第２のトピックに関して前記第１のモードにあることに部分的に基づく、ことと、をさらに含む、請求項１に記載の方法。
【請求項１３】
前記プロセッサは、第１のプロセッサおよび第２のプロセッサを含み、
前記第１の通信を引き起こすことと、前記イベントシステムを前記第１のユーザデバイスおよび前記第１のトピックに関して前記第２のモードにすることと、前記第２の通信を引き起こすこととは、前記第１のプロセッサによって行われ、
前記第３の通信を引き起こすことと、前記イベントシステムを前記第１のユーザデバイスおよび第２のトピックに関して前記第２のモードにすることと、前記第４の通信を引き起こすこととは、前記第２のプロセッサによって行われる、請求項１２の方法。
【請求項１４】
前記情報メモリは、第１の情報メモリおよび第２の情報メモリを含み、
前記情報メモリに前記第１の情報項目を入力することは、前記第１の情報メモリに前記第１の情報項目を入力することを含み、
前記情報メモリに前記第２の情報項目を入力することは、前記第１の情報メモリに前記第２の情報項目を入力することを含み、
前記情報メモリに前記第３の情報項目を入力することは、前記第２の情報メモリに前記第３の情報項目を入力することを含み、
前記情報メモリに前記第４の情報項目を入力することは、前記第２の情報メモリに前記第４の情報項目を入力することを含む、請求項１２に記載の方法。
【請求項１５】
前記プロセッサによって、第２のユーザデバイスへの前記第１のトピックに関する前記第１の情報項目の第３の通信を引き起こすことであって、前記第３の通信は、前記イベントシステムが前記第２のユーザデバイスおよび前記第１のトピックに関して前記第１のモードにあることに少なくとも部分的に基づき、前記第２のユーザデバイスは、前記第１のトピックに関する前記情報項目を受信するための第２のサブスクリプションを有する第２のエンティティに関連付けられている、ことをさらに含む、請求項１に記載の方法。
【請求項１６】
前記プロセッサによって、前記第１の通信および前記第３の通信の前に、
アクセス制御メモリからの、前記第１のトピックに関する前記情報項目を受信するための前記第１のサブスクリプションを有する前記第１のエンティティを識別する第１の情報の第１の検索と、
前記アクセス制御メモリからの、前記第１のトピックに関する前記情報項目を受信するための前記第２のサブスクリプションを有する前記第２のエンティティを識別する第２の情報の検索と、を引き起こすことをさらに含む、請求項１５に記載の方法。
【請求項１７】
第２のトピックに関連する第３の情報項目を前記情報メモリに入力することと、
前記プロセッサによって、前記第３の情報項目の第２のユーザデバイスへの第３の通信を引き起こすことであって、前記第３の通信は、前記イベントシステムが前記第２のユーザデバイスおよび前記第２のトピックに関して前記第１のモードにあることに少なくとも部分的に基づき、前記第２のユーザデバイスは、前記第２のトピックに関する情報項目を受信するために第２のサブスクリプションを有する第２のエンティティに関連付けられている、ことと、をさらに含む、請求項１に記載の方法。
【請求項１８】
前記プロセッサによって、前記第１の通信および前記第３の通信の前に、
アクセス制御メモリからの、前記第１のトピックに関する前記情報項目を受信するための前記第１のサブスクリプションを有する前記第１のエンティティを識別する第１の情報の第１の検索と、
前記アクセス制御メモリからの、前記第２のトピックに関する前記情報項目を受信するための前記第２のサブスクリプションを有する前記第２のエンティティを識別する第２の情報の第２の検索と、を引き起こすことをさらに含む、請求項１７に記載の方法。
【請求項１９】
前記アクセス制御メモリは、第１のアクセス制御メモリおよび第２のアクセス制御メモリを含み、
前記アクセス制御メモリからの、前記第１の情報の前記第１の検索は、前記第１のアクセス制御メモリからの、前記第１の情報の第１の検索を含み、
第２の情報のアクセス制御メモリからの、前記第２の情報の前記第２の検索は、前記第２のアクセス制御メモリからの、前記第２の情報の第２の検索を含む、請求項１８に記載の方法。
【請求項２０】
プロセッサに情報項目を通信させるように前記プロセッサを制御するためのコンピュータコードを記憶する非一時的なコンピュータ可読媒体であって、
前記コンピュータコードは、前記プロセッサに、
トピックに関連する第１の情報項目をメモリに入力することと、
前記第１の情報項目のユーザデバイスへの第１の通信を引き起こすことであって、前記第１の通信は、イベントシステムが前記ユーザデバイスおよび前記トピックに関して第１のモードにあることに少なくとも部分的に基づき、前記第１のモードは、前記ユーザデバイスからの要求なしに、前記情報項目の前記メモリへの入力に応答して、情報項目の前記ユーザデバイスへの通信を前記イベントシステムにさせる構成であって、前記ユーザデバイスは、前記トピックに関連する情報項目を受信するためのサブスクリプションを有するエンティティと関連付けられている、ことと、
前記第１の通信を引き起こした後、前記イベントシステムを前記ユーザデバイスおよび前記トピックに関し第２のモードにすることであって、前記第２のモードは、前記イベントシステムに前記情報項目の前記ユーザデバイスへの通信を控えさせるようにした構成であることと、
前記ユーザデバイスから第１の信号を受信して、前記イベントシステムを前記ユーザデバイスおよび前記トピックに関して前記第２のモードから前記第１のモードに切り替えることと、
前記第１の信号を受信した後、前記トピックに関連する第２の情報項目を前記メモリに入力することと、
前記第２の情報項目の前記ユーザデバイスへの第２の通信を引き起こすことであって、前記第２の通信は、前記イベントシステムが前記ユーザデバイスおよび前記トピックに関して前記第１のモードにあることに少なくとも部分的に基づく、ことと、を行わせる命令を含む、コンピュータ可読媒体。
【請求項２１】
情報項目を通信するためのシステムであって、
トピックに関連する情報項目を記憶するように構成されているメモリと、
プロセッサであって、
前記トピックに関連する第１の情報項目をメモリに入力することと、
前記第１の情報項目のユーザデバイスへの第１の通信を引き起こすことであって、前記第１の通信は、イベントシステムが前記ユーザデバイスおよび前記トピックに関して第１のモードにあることに少なくとも部分的に基づき、前記第１のモードは、前記ユーザデバイスからの要求なしに、前記メモリへの情報項目の入力に応答して、前記情報項目の前記ユーザデバイスへの通信を生じさせる構成であり、前記ユーザデバイスは、前記トピックに関連する情報項目を受信するためのサブスクリプションを有するエンティティと関連付けられている、ことと、
前記第１の通信を引き起こした後、前記イベントシステムを前記ユーザデバイスおよび前記トピックに関して第２のモードにすることであって、前記第２のモードは、前記イベントシステムに前記情報項目の前記ユーザデバイスへの通信を控えさせるようにした構成である、ことと、
前記ユーザデバイスから第１の信号を受信して、前記イベントシステムを前記ユーザデバイスおよび前記トピックに関して前記第２のモードから前記第１のモードに切り替えることと、
前記第１の信号を受信した後、前記トピックに関連する第２の情報項目を前記メモリに入力することと、
前記第２の情報項目の前記ユーザデバイスへの第２の通信を引き起こすことであって、第２の通信は、前記イベントシステムが前記ユーザデバイスおよび前記トピックに関して前記第１のモードにあることに少なくとも部分的に基づく、ことと、を行うように構成されているプロセッサと、を含む、システム。
【発明の詳細な説明】
【背景技術】
【０００１】
イベントシステムは、顧客関係管理システムの構成要素となり得る。あるトピックに関する情報項目（例えば、特定の部品の潜在的な購入者に対するセールスリード）を、イベントシステムの情報メモリに入力することは、イベントと呼ばれ得る。イベントシステムのアクセス制御メモリ内の情報は、イベント（例えば、トピックに関する情報項目（例えば、特定の部品の潜在的な購入者に対するセールスリード））の通知を受信するためのサブスクリプションを有する個人を識別するために使用され得る。イベントシステムは、サブスクリプションを有する個人に関連するユーザデバイスにイベントの通知を通信するように構成され得る。
【図面の簡単な説明】
【０００２】
開示された主題のさらなる理解を提供するために含まれる添付の図面は、本明細書に組み込まれ、本明細書の一部を構築する。図面はまた、開示された主題の実装を図示し、詳細な説明と共に、開示された主題の実装の原理を説明するのに役立つ。開示された主題およびそれが実施され得る様々な方法の基本的理解のために必要である以上に詳細な構造的詳細を示す試みはなされない。
【０００３】
【図１】開示された技術による、イベントシステムのための環境の一例を図示する図である。
【図２】イベントシステムによって行われる動作に関連する例示の時点を有するタイムラインの図である。
【図３】開示された技術よる、第１の情報メモリの一例を図示する図である。
【図４】開示された技術による、第２の情報メモリの一例を図示する図である。
【図５】開示された技術による、第３の情報メモリの一例を図示する図である。
【図６】開示された技術による、第４の情報メモリの一例を図示する図である。
【図７】開示された技術による、第１のアクセス制御メモリの一例を図示する図である。
【図８】開示された技術による、第２のアクセス制御メモリの一例を図示する図である。
【図９】開示された技術による、第３のアクセス制御メモリの一例を図示する図である。
【図１０】開示された技術による、アクセス制御メモリの構成の一例を図示する図である。
【図１１】開示された技術による、ユーザデバイスの一例を図示する図である。
【図１２Ａ】開示された技術による、情報項目の通信方法の一例を図示するフロー図である。
【図１２Ｂ】開示された技術による、情報項目の通信方法の一例を図示するフロー図である。
【図１３Ａ】開示された技術による、情報項目の通信方法の別の例を図示するフロー図である。
【図１３Ｂ】開示された技術による、情報項目の通信方法の別の例を図示するフロー図である。
【図１４Ａ】開示された技術による、情報項目の通信方法のさらに別の例を図示するフロー図である。
【図１４Ｂ】開示された技術による、情報項目の通信方法のさらに別の例を図示するフロー図である。
【図１５Ａ】開示された技術による、情報項目の通信方法のさらに別の例を図示するフロー図である。
【図１５Ｂ】開示された技術による、情報項目の通信方法のさらに別の例を図示するフロー図である。
【発明を実施するための形態】
【０００４】
本明細書で使用されるように、ある構成要素がある動作を「行うように構成」され得るという記述は、その構成要素が構造的な変更を必要とせず、単にその動作を行うためにある動作状態（例えば、電力が供給される、下層のオペレーティングシステムが動作するなど）に置かれる必要があることを意味すると理解され得る。
【０００５】
図１は、開示された技術による、イベントシステムのための環境１００の一例を図示する図である。例えば、環境１００は、第１のプロセッサ１０２、第２のプロセッサ１０４、第３のプロセッサ１０６、第１の情報メモリ１０８、第２の情報メモリ１１０、第３の情報メモリ１１２、第１のアクセス制御メモリ１１４、第２のアクセス制御メモリ１１６、第３のアクセス制御メモリ１１８、第１のユーザデバイス１２０、第２のユーザデバイス１２２、および第３のユーザデバイス１２４を含むことができる。
【０００６】
第１のプロセッサ１０２は、第１のユーザデバイス１２０、第２のユーザデバイス１２２、および第３のユーザデバイス１２４と通信するように構成され得る。第２のプロセッサ１０４は、第１のユーザデバイス１２０、第２のユーザデバイス１２２、および第３のユーザデバイス１２４と通信するように構成され得る。第３のプロセッサ１０６は、第１のユーザデバイス１２０、第２のユーザデバイス１２２、および第３のユーザデバイス１２４と通信するように構成され得る。
【０００７】
第１のユーザデバイス１２０は、第１のプロセッサ１０２、第２のプロセッサ１０４、および第３のプロセッサ１０６と通信するように構成され得る。第２のユーザデバイス１２２は、第１のプロセッサ１０２、第２のプロセッサ１０４、および第３のプロセッサ１０６と通信するように構成され得る。第３のユーザデバイス１２４は、第１のプロセッサ１０２、第２のプロセッサ１０４、および第３のプロセッサ１０６と通信するように構成され得る。
【０００８】
第１のプロセッサ１０２、第２のプロセッサ１０４、および第３のプロセッサ１０６のうちのいずれかと、第１のユーザデバイス１２０、第２のユーザデバイス１２２、および第３のユーザデバイス１２４のうちのいずれかとの間の通信は、例えば、コンピュータがデータを交換することを可能にするように構成された通信ネットワークにおいて行われ得る。第１のプロセッサ１０２、第２のプロセッサ１０４、および第３のプロセッサ１０６のいずれかと、第１のユーザデバイス１２０、第２のユーザデバイス１２２、および第３のユーザデバイス１２４のいずれかとの間の接続は、ケーブル媒体、無線媒体、またはその両方を用いて確立され得る。データトラフィックは、例えば、インターネット・プロトコル・スイート（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ  （ＴＣＰ／ＩＰ））、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  （ＩＥＥＥ）８０２プロトコル・スイート、同期光ネットワーキング（ＳＯＮＥＴ）プロトコル、Ａｓｙｎｃｈｒｏｎｏｕｓ  Ｔｒａｎｓｆｅｒ  Ｍｏｄｅ（ＡＴＭ）スイッチング技術、またはそれらの任意の組み合わせを含む様々な通信プロトコルに従って組織化され得る。
【０００９】
イベントシステムの情報メモリへのトピックに関する情報項目の入力は、イベントと呼ばれ得る。イベントシステムのアクセス制御メモリ内の情報は、イベント（例えば、トピックに関する情報項目）の通知を受信するサブスクリプションを有する個人を識別するために使用され得る。イベントシステムは、サブスクリプションを有する個人に関連するユーザデバイスにイベントの通知を通信するように構成され得る。トピックは、ニュース項目、セールスリードなど、様々な主題に関連付けられ得る。
【００１０】
イベントシステムは、例えば、顧客関係管理（ＣＲＭ）システムの構成要素とすることができる。例示を目的として、ＣＲＭシステムは部品製造会社のセールスフォースのためのものとすることができる。例示を目的として、部品製造会社は、部品１、部品２、および部品３を製造することができる。部品＃１は製品Ａの製造に使用され得る。部品＃２は製品Ｂの製造に使用され得る。部品＃３は製品Ｃの製造に使用され得る。例示を目的として、イベントシステムは、部品＃１、部品＃２および部品＃３のセールスリードを追求する個人に関連するワークフローを支援するために使用され得る。
【００１１】
第１のプロセッサ１０２、第１の情報メモリ１０８、および第１のアクセス制御メモリ１１４は、第１のトピック（例えば、部品＃１の潜在的な購入者に対するセールスリード）に関連付けられ得る。第１のプロセッサ１０２、第１の情報メモリ１０８、および第１のアクセス制御メモリ１１４のうちの１つ以上が組み合わせられ得る。例えば、構成において、第１のプロセッサ１０２、第１の情報メモリ１０８、および第１のアクセス制御メモリ１１４が、第１のシステム１２６（例えば、部品＃１の潜在的な購入者に対するセールスリードシステム）とすることができる。
【００１２】
第２のプロセッサ１０４、第２の情報メモリ１１０、および第２のアクセス制御メモリ１１６は、第２のトピック（例えば、部品＃２の潜在的な購入者に対するセールスリード）に関連付けられ得る。第２のプロセッサ１０４、第２の情報メモリ１１０、および第２のアクセス制御メモリ１１６のうちの１つ以上を組み合わせられ得る。例えば、構成において、第２のプロセッサ１０４、第２の情報メモリ１１０、および第２のアクセス制御メモリ１１６が、第２のシステム１２８（例えば、部品＃２の潜在的な購入者に対するセールスリードシステム）とすることができる。
【００１３】
第３のプロセッサ１０６、第３の情報メモリ１１２、および第３のアクセス制御メモリ１１８は、第３のトピック（例えば、部品＃３の潜在的な購入者に対するセールスリード）に関連付けられ得る第３のプロセッサ１０６、第３の情報メモリ１１２、および第３のアクセス制御メモリ１１８のうちの１つ以上が組み合わせられ得る。例えば、構成において、第３のプロセッサ１０６、第３の情報メモリ１１２、および第３のアクセス制御メモリ１１８が、第３のシステム１３０（例えば、部品＃３の潜在的な購入者に対するセールスリードシステム）とすることができる。
【００１４】
代替的または追加的に、第１のプロセッサ１０２、第２のプロセッサ１０４、および第３のプロセッサ１０６のうちの１つ以上が組み合わせられ得る。例えば、構成において、第１のプロセッサ１０２、第２のプロセッサ１０４、および第３のプロセッサ１０６がプロセッサ１３２として組み合わせられ得る。
【００１５】
代替的にまたは追加的に、第１の情報メモリ１０８、第２の情報メモリ１１０、および第３の情報メモリ１１２のうちの１つ以上が組み合わせられ得る。例えば、構成において、第１の情報メモリ１０８、第２の情報メモリ１１０、および第３の情報メモリ１１２が情報メモリ１３４として組み合わせられ得る。
【００１６】
代替的または追加的に、第１のアクセス制御メモリ１１４、第２のアクセス制御メモリ１１６、および第３のアクセス制御メモリ１１８のうちの１つ以上が組み合わせられ得る。例えば、構成において、第１のアクセス制御メモリ１１４、第２のアクセス制御メモリ１１６、および第３のアクセス制御メモリ１１８がアクセス制御メモリ１３６として組み合わせられ得る。
【００１７】
例えば、構成において、プロセッサ１３２、情報メモリ１３４、およびアクセス制御メモリ１３６がイベントシステム１３８として組み合わせられ得る。
【００１８】
例示を目的として、第１のユーザデバイス１２０は、製品Ａの製造業者に関連するセールスリードを追求する個人（例えば、Ａｎｎｅ  Ａｌｐｈａ）と関連付けられ得る。例示を目的として、第２のユーザデバイス１２２は、製品Ｂの製造業者に関連するセールスリードを追求する個人（例えば、Ｂｒｉａｎ  Ｂｒａｖｏ）と関連付けられ得る。例示を目的として、第３のユーザデバイス１２４は、製品Ｃの製造業者に関連するセールスリードを追求する個人（例えば、Ｃｉｎｄｙ  Ｃｈａｒｌｅｓ）と関連付けられ得る。
【００１９】
図２は、イベントシステムによって行われる動作に関連する例示の時点を有するタイムライン２００の図である。
【００２０】
図３は、開示された技術による、第１の情報メモリ１０８の一例を図示する図である。第１の情報メモリ１０８は、第１のトピック（例えば、部品＃１の潜在的な購入者に対するセールスリード）に関連付けられ得る。例示を目的として、情報項目（例えば、セールスリード（例えば、Ｄａｖｅ  Ｄｅｌｔａ））の入力が第１の時間（例えば、ｔ１）に発生することができ、情報項目（例えば、セールスリード（例えば、Ｅｌｌｉｅ  Ｅｃｈｏ））の入力が第２の時間（例えば、ｔ３）に発生することができ、情報項目（例えば、セールスリード（例えば、Ｇｉｎａ  Ｇｏｌｆ））の入力が第３の時間（例えば、ｔ６）に発生することができ、情報項目（例えば、セールスリード（例えば、Ｉｌａｎａ  Ｉｎｄｉａ））の入力が第４の時間（例えば、ｔ１２）に発生することができる。図４は、開示された技術による、第２の情報メモリ１１０の一例を示す図である。第２の情報メモリ１１０は、第２のトピック（例えば、部品＃２の潜在的な購入者に対するセールスリード）に関連付けられ得る。例示を目的として、情報項目（例えば、セールスリード（例えば、Ｆｒａｎｋ  Ｆｏｘｔｒｏｔ））の入力が第５の時間（例えば、ｔ４）に発生することができ、情報項目（例えば、セールスリード（例えば、Ｈｅｎｒｙ  Ｈｏｔｅｌ））の入力が第６の時間（例えば、ｔ９）に発生することができる。図５は、開示された技術による第３の情報メモリ１１２の一例を図示する図である。第３の情報メモリ１１２は、第３のトピック（例えば、部品＃３の潜在的な購入者に対するセールスリード）に関連付けられ得る。例示を目的として、情報項目（例えば、セールスリード（例えば、Ｇｉｎａ  Ｇｏｌｆ））の入力が第３の時間（ｔ６）に発生することができ、情報項目（例えば、セールスリード（例えば、Ｈｅｎｒｙ  Ｈｏｔｅｌ））の入力が第６の時間（ｔ９）に発生することができる。
【００２１】
また、図６は、開示された技術による、情報メモリ１３４の構成の一例を図示する図である。例示を目的として、第１のトピック（例えば、部品＃１）に関連する情報項目（例えば、セールスリード（例えば、Ｄａｖｅ  Ｄｅｌｔａ））の入力は、第１の時間（例えば、ｔ１）で発生することができ、第１のトピック（例えば、部品＃１）に関連する情報項目（例えば、セールスリード（例えば、Ｅｌｌｉｅ  Ｅｃｈｏ））の入力は、第２の時間（例えば、ｔ３）で発生することができ、第２のトピック（例えば、部品＃２）に関連する情報項目（例えば、セールスリード（例えば、Ｆｒａｎｋ  Ｆｏｘｔｒｏｔ））の入力は、第３の時間（例えば、ｔ４）で発生することができ、第１のトピック（例えば、部品＃１）および第３のトピック（例えば、部品＃３）に関連する情報項目（例えば、セールスリード（例えば、Ｇｉｎａ  Ｇｏｌｆ））の入力は、第４の時間（例えば、ｔ６）で発生することができ、第２のトピック（例えば、部品＃２）および第３のトピック（例えば、部品＃３）に関連する情報項目（例えば、セールスリード（例えば、Ｈｅｎｒｙ  Ｈｏｔｅｌ））の入力は、第５の時間（例えば、ｔ９）で発生することができ、第１のトピック（例えば、部品＃１）に関連する情報項目（例えば、セールスリード（例えば、Ｉｌａｎａ  Ｉｎｄｉａ））の入力は、第６の時間（例えば、ｔ１２）で発生することができる。
【００２２】
図７は、開示された技術による、第１のアクセス制御メモリ１１４の一例を図示する図である。第１のアクセス制御メモリ１１４は、第１のトピック（例えば、部品＃１の潜在的な購入者に対するセールスリード）に関連付けられ得る。例示を目的として、第１のアクセス制御メモリ１１４は、部品１に関連するイベントの通知を受信するためのサブスクリプションを有する１人以上の個人（例えば、製品Ａの製造業者に関連するセールスリードを追求する個人（例えば、Ａｎｎｅ  Ａｌｐｈａ））を識別する情報を含むことができる。図８は、開示された技術による第２のアクセス制御メモリ１１６の一例を図示する図である。第２のアクセス制御メモリ１１６は、第２のトピック（例えば、部品＃２の潜在的な購入者に対するセールスリード）に関連付けられ得る。例示を目的として、第２のアクセス制御メモリ１１６は、部品＃２に関連するイベントの通知を受信するためのサブスクリプションを有する１人以上の個人（例えば、製品Ｂの製造業者に関連するセールスリードを追求する個人（例えば、Ｂｒｉａｎ  Ｂｒａｖｏ）および製品Ｃの製造業者に関連するセールスリードを追求する個人（例えば、Ｃｉｎｄｙ  Ｃｈａｒｌｅｓ））を識別する情報を含むことができる。図９は、開示された技術による第３のアクセス制御メモリ１１８の一例を例示する図である。第３のアクセス制御メモリ１１８は、第３のトピック（例えば、部品＃３の潜在的な購入者に対するセールスリード）に関連付けられ得る。説明のために、第３のアクセス制御メモリ１１８は、部品３に関連するイベントの通知を受信するためのサブスクリプションを有する１人以上の個人（例えば、製品Ｃの製造業者に関連するセールスリードを追求する個人（例えば、シＣｉｎｄｙ  Ｃｈａｒｌｅｓ））を識別する情報を含むことができる。
【００２３】
あるいは、図１０は、開示された技術による、アクセス制御メモリ１３６の構成の一例を例示する図である。例示のために、アクセス制御メモリ１３６は、第１のトピック（例えば、部品＃１）に関連するイベントの通知を受信するためのサブスクリプションを有する１人以上の個人（例えば、製品Ａの製造業者に関連するセールスリードを追求する個人（例えば、Ａｎｎｅ  Ａｌｐｈａ））を識別する情報と、第２のトピック（例えば、部品＃２）に関連するイベントの通知を受信するためのサブスクリプションを有する１人以上の個人（例えば、製品Ｂの製造業者に関連するセールスリードを追求する個人（例えば、Ｂｒｉａｎ  Ｂｒａｖｏ）および製品Ｃの製造業者に関連するセールスリードを追求する個人（例えば、Ｃｉｎｄｙ  Ｃｈａｒｌｅｓ））を識別する情報と、第３のトピック（例えば、部品＃３）に関連するイベントの通知を受信するためのサブスクリプションを有する１人以上の個人（例えば、製品Ｃの製造業者に関連するセールスリードを追求する個人（例えば、Ｃｉｎｄｙ  Ｃｈａｒｌｅｓ））を識別する情報と、を含むことができる。
【００２４】
図１１は、開示された技術による、ユーザデバイス１１００の一例を図示する図である。例えば、ユーザデバイス１１００は、第１のユーザデバイス１２０、第２のユーザデバイス１２２、または第３のユーザデバイス１２４であり得る。ユーザデバイス１１００は、ユーザデバイスプロセッサ１１０２およびユーザデバイスメモリ１１０４を含むことができる。例えば、ユーザデバイス１１００は、デスクトップ・コンピュータ、ラップトップ・コンピュータ、タブレット・コンピュータ、ウェブ・ポータル、エンタープライズ・ポータル、イントラネット・ポータル、キャプティブ・ポータル、スマートフォン、パーソナル・デジタル・アシスタント等のような任意の適切な電子デバイスとすることができる。典型的には、ユーザデバイスメモリ１１０４の容量（例えば、本明細書で説明される情報項目を通信するための方法に関連するアプリケーションによって決定され得る）は、第１の情報メモリ１０８、第２の情報メモリ１１０、または第３の情報メモリ１１２（または情報メモリ１３４）の容量よりも実質的に小さくすることができる。
【００２５】
従来、イベントシステムは、プッシュモードで、あるイベント（例えば、あるトピックに関する情報項目（例えば、特定の部品の潜在的な購入者に対するセールスリード））の通知を、そのイベントの通知を受信するためのサブスクリプションを有する個人に関連するユーザデバイスに通信するように構成され得る。例示を目的として、図１〜図３、図６、図７、図１０、および図１１に関連して、トピックに関連する第１の情報項目（例えば、部品＃１の潜在的な購入者に対する第１のセールスリード（例えば、Ｄａｖｅ  Ｄｅｌｔａ））は、第１の時間（例えば、ｔ１）で第１の情報メモリ１０８（または、情報メモリ１３４）に入力され得る。第１のプロセッサ１０２（またはプロセッサ１３２）は、ユーザデバイスからの要求なしに、第１の情報メモリ１０８（または情報メモリ１３４）への第１の情報項目の入力に応答して、第１の動作および第１の情報項目を処理するための第２の動作を行うことができる。第１の動作では、第１のプロセッサ１０２（またはプロセッサ１３２）は、第１のアクセス制御メモリ１１４（またはアクセス制御メモリ１３６）から、トピックに関する情報項目を受信するためのサブスクリプションを有する１つ以上の個人（例えば、製品Ａの製造業者に関連するセールスリードを追求する個人（例えば、Ａｎｎｅ  Ａｌｐｈａ））を識別する情報の検索を引き起こすことができる。第２の動作では、検索の後、第１のプロセッサ１０２（またはプロセッサ１３２）は、第１のユーザデバイス１２０への第１の情報項目の通信を引き起こすことができ、これは、トピックに関する情報項目を受信するためのサブスクリプションを有する個人（例えば、Ａｎｎｅ  Ａｌｐｈａ）に関連付けることができる。例えば、Ａｎｎｅ  Ａｌｐｈａは、第１のユーザデバイス１２０上で、イベントシステムと対話するように構成されているアプリケーションにログインすることができる。
【００２６】
第１のユーザデバイス１２０は、第１の情報項目を受信することができ、それを記憶することができる。例えば、ユーザデバイス１１００は、第１の情報項目（例えば、部品＃１の潜在的な購入者に対する第１のセールスリード（例えば、Ｄａｖｅ  Ｄｅｌｔａ））をユーザデバイスメモリ１１０４に記憶することができ、この情報は、部品＃１の潜在的な購入者に対するセールスリードを追求しようとする、Ａｎｎｅ  Ａｌｐｈａに利用可能である。
【００２７】
後に、トピックに関連する第２の情報項目（例えば、部品１の潜在的な購入者に対する第２のセールスリード（例えば、Ｅｌｌｉｅ  Ｅｃｈｏ））が、第２の時点（例えば、ｔ２）で第１の情報メモリ１０８（または、情報メモリ１３４）に入力され得る。再度、第１のプロセッサ１０２（またはプロセッサ１３２）は、ユーザデバイスからの要求なしに、第２の情報項目の第１の情報メモリ１０８（または情報メモリ１３４）への入力に応答して、第１の動作および第２の情報項目を処理するための第２の動作を行うことができる。第１の動作では、第１のプロセッサ１０２（またはプロセッサ１３２）は、第１のアクセス制御メモリ１１４（またはアクセス制御メモリ１３６）から、トピックに関する情報項目を受信するためのサブスクリプションを有する１人以上の個人（例えば、製品Ａの製造業者に関連するセールスリードを追求する個人（例えば、Ａｎｎｅ  Ａｌｐｈａ））を識別する情報の検索を引き起こすことができる。第２の動作では、検索の後、第１のプロセッサ１０２（またはプロセッサ１３２）は、第１のユーザデバイス１２０への第２の情報項目の通信を引き起こすことができ、これは、トピックに関する情報項目を受信するためのサブスクリプションを有する個人（例えば、Ａｎｎｅ  Ａｌｐｈａ）に関連付けられ得る。
【００２８】
しかしながら、第１のユーザデバイス１２０が、第２の情報項目を記憶するためのメモリ（例えば、ユーザデバイスメモリ１１０４）に十分な容量を持たない場合、プロセッサ（例えば、ユーザデバイスプロセッサ１１０２）は、（１）第２の情報項目（例えば、部品＃１の潜在的な購入者に対する第２のセールスリード（例えば、Ｅｌｌｉｅ  Ｅｃｈｏ））を拒否し、（２）第２の情報項目の拒否を示すメッセージのイベントシステムへの通信を引き起こすことができる。例えば、プッシュモードで動作する従来のイベントシステムにおける情報項目を通信するための方法に関連するアプリケーションは、アプリケーションのために使用されるメモリ（例えば、ユーザデバイスメモリ１１０４）の容量を決定することができる。例えば、Ａｎｎｅ  Ａｌｐｈａは、部品＃１の潜在的な購入者に対する第１のセールスリード（例えば、Ｄａｖｅ  Ｄｅｌｔａ）を追求しようとすることを完了していないことがあるため、アプリケーションは、この第１の情報項目をメモリ（例えば、ユーザデバイスメモリ１１０４）に維持して、このメモリが第２の情報項目（例えば、部品＃１の潜在的な購入者に対する第２のセールスリード（例えば、Ｅｌｌｉｅ  Ｅｃｈｏ））を記憶するのに十分な容量を持たないことがある。
【００２９】
残念ながら、さらに後の時間、第１のプロセッサ１０２（またはプロセッサ１３２）が、第２の情報項目の拒否を示すメッセージを処理するために消費する時間は、第１のプロセッサ１０２（またはプロセッサ１３０２）が、トピックに関する第３の情報項目（例えば、部品＃１の潜在的な購入者に対する第３のセールスリード（例えば、Ｇｉｎａ  Ｇｏｌｆ））の第３の時間（例えば、ｔ６）における第１の情報メモリ１０８（または情報メモリ１３４）への入力に応答して、第１の動作および第３の情報項目を処理するための第２の動作を行う能力を妨害する可能性がある。例えば、そのような妨害は、第１のプロセッサ１０２（またはプロセッサ１３２）が第１の動作および第３の情報項目を処理するための第２の動作を行うことできる前に、時間の遅延をもたらす可能性がある。
【００３０】
代替的または従来、イベントシステムは、プルモードで、あるイベント（例えば、あるトピックに関する情報項目（例えば、特定の部品の潜在的な購入者に対するセールスリード））の通知を、そのイベントの通知を受信するためのサブスクリプションを有する個人に関連するユーザデバイスに通信するように構成され得る。例示を目的として、図１〜図３、図６、図７、図１０、および図１１を参照して、第１のプロセッサ１０２（またはプロセッサ１３２）は、第１のユーザデバイス１２０からの第１の要求の、第１の時間（例えば、ｔ１）における受信に応答して、トピックに関する１つ以上の情報項目について、第１の要求を処理するための一連の動作を行うことができる。第１の動作では、第１のプロセッサ１０２（またはプロセッサ１３２）は、第１のアクセス制御メモリ１１４（またはアクセス制御メモリ１３６）から、トピックに関する情報項目を受信するためのサブスクリプションを有する１人以上の個人（例えば、製品Ａの製造業者に関連するセールスリードを追求する個人（例えば、Ａｎｎｅ  Ａｌｐｈａ））を識別する情報の検索を引き起こすことができる。第２の動作では、検索の後、第１のプロセッサ１０２（またはプロセッサ１３２）は、第１のユーザデバイス１２０に関連する個人（例えば、Ａｎｎｅ  Ａｌｐｈａ）が、トピックに関する情報項目を受信ためのサブスクリプションを有する１人以上の個人のうちの１人である（例えば、製品Ａの製造業者に関連するセールスリードを追求する個人（例えば、Ａｎｎｅ  Ａｌｐｈａ））という決定を処理することができる。第３の動作では、決定の後、第１のプロセッサ１０２（またはプロセッサ１３２）は、第１のユーザデバイス１２０に、第１の情報メモリ１０８（または情報メモリ１３４）に入力された、トピックに関連する第１の情報項目（例えば、部品１の潜在的な購入者に対する第１のセールスリード（例えば、Ｄａｖｅ  Ｄｅｌｔａ））の通信を引き起こすことができる。
【００３１】
第１のユーザデバイス１２０は、第１の情報項目を受信することができ、それを記憶することができる。例えば、ユーザデバイス１１００は、第１の情報項目（例えば、部品＃１の潜在的な購入者に対する第１のセールスリード（例えば、Ｄａｖｅ  Ｄｅｌｔａ））をユーザデバイスメモリ１１０４に記憶することができ、この情報は、部品＃１の潜在的な購入者に対するセールスリードを追求しようとするＡｎｎｅ  Ａｌｐｈａに利用可能とすることができる。
【００３２】
後に、第１のプロセッサ１０２（またはプロセッサ１３２）は、再度、第１のユーザデバイス１２０からの第２の要求の、第２の時間（例えば、ｔ２）における受信に応答して、トピックに関する１つ以上の情報項目について、第２の要求を処理するための一連の動作を行うことができる。第１の動作では、第１のプロセッサ１０２（またはプロセッサ１３２）は、第１のアクセス制御メモリ１１４（またはアクセス制御メモリ１３６）から、トピックに関する情報項目を受信するためのサブスクリプションを有する１つ以上の個人（例えば、製品Ａの製造業者に関連するセールスリードを追求する個人（例えば、Ａｎｎｅ  Ａｌｐｈａ））を識別する情報の検索を引き起こすことができる。第２の動作では、検索の後、第１のプロセッサ１０２（またはプロセッサ１３２）は、第１のユーザデバイス１２０に関連する個人（例えば、Ａｎｎｅ  Ａｌｐｈａ）が、トピックに関する情報項目を受信するためのサブスクリプションを有する１人以上の個人のうちの１人（例えば、製品Ａの製造業者に関連するセールスリードを追求する個人（例えば、Ａｎｎｅ  Ａｌｐｈａ））であるという決定を処理することができる。しかしながら、第２の時間（ｔ２）において、第１の情報メモリ１０８（または情報メモリ１３４）に、トピックに関連する新しい情報項目（例えば、部品＃１の潜在的な購入者に対する新しいセールスリード）が入力されなかったため、第１のプロセッサ１０２（またはプロセッサ１３２）は、トピックに関連する情報項目（例えば、部品＃１の潜在的な購入者に対するセールスリード）の第１のユーザデバイス１２０への通信を引き起こすことができない。さらに、第１のプロセッサ１０２（またはプロセッサ１３２）が第２の要求を処理するために消費される時間は、第１のプロセッサ１０２（またはプロセッサ１３２）が、第１のユーザデバイス１２０からの第３の要求の、第３の時間（例えば、ｔ３）における受信に応答して、トピックに関する１つ以上の情報項目について、第３の要求を処理する一連の動作を行って、第３の時間（ｔ３）において第１の情報メモリ１０８（または情報メモリ１３４）に入力されたトピックに関連する第２の情報項目（例えば、部品＃１の潜在的な購入者に対する第２のセールスリード（例えば、Ｅｌｌｉｅ  Ｅｃｈｏ））の第１のユーザデバイス１２０への通信を引き起こす能力を妨げる可能性がある。
【００３３】
図１２Ａおよび１２Ｂは、開示された技術による情報項目を通信するための方法１２００の一例を図示するフロー図である。方法１２００では、動作１２０２において、トピックに関連する第１の情報項目が情報メモリに入力され得る。例えば、図１および図６を参照すると、トピックに関連する第１の情報項目（例えば、部品＃１の潜在的な購入者に対する第１のセールスリード（例えば、Ｄａｖｅ  Ｄｅｌｔａ））が情報メモリ１３４に入力され得る
【００３４】
図１２Ａに戻ると、方法１２００では、任意選択の動作１２０４において、イベントシステムのプロセッサは、アクセス制御メモリから、トピックに関する情報のアイテムを受信するためのサブスクリプションを有するエンティティを識別する情報の検索を引き起こすことができる。例えば、図１および図１０を参照すると、イベントシステム１３８のプロセッサ１３２は、アクセス制御メモリ１３６から、トピックに関する項目を受信するためのサブスクリプションを有するエンティティ（例えば、製品Ａの製造業者に関連するセールスリードを追求する個人（例えば、Ａｎｎｅ  Ａｌｐｈａ））を識別する情報の検索を引き起こすことができる。
【００３５】
構成では、アクセス制御メモリ１３６は情報メモリ１３４と組み合わせられ得る。
【００３６】
図１２Ａに戻ると、方法１２００では、動作１２０６において、プロセッサは、第１の情報項目のユーザデバイスへの第１の通信を引き起こすことができる。第１の通信は、イベントシステムが、ユーザデバイスおよびトピックに関して第１のモードにあることに少なくとも部分的に基づくことができる。第１のモードは、ユーザデバイスからの要求なしに、情報項目の情報メモリへの入力に応答して、ユーザデバイスへの情報項目の通信をイベントシステムにさせる構成とすることができる。ユーザデバイスは、トピックに関連する情報項目を受信するためのサブスクリプションを有するエンティティと関連付けられ得る。例えば、図１および図６を参照すると、プロセッサ１３２は、第１の情報項目（例えば、部品＃１の潜在的な購入者に対する第１のセールスリード（例えば、Ｄａｖｅ  Ｄｅｌｔａ））の第１のユーザデバイス１２０への第１の通信を引き起こすことができる。
【００３７】
図１２Ａに戻ると、方法１２０では、動作１２０８において、プロセッサは、第１の通信を引き起こした後、イベントシステムをユーザデバイスおよびトピックに関して、第２のモードにすることができる。第２のモードは、イベントシステムにユーザデバイスへの情報項目の通信を控えさせるようにした構成とすることができる。例えば、図１を参照すると、プロセッサ１３２は、第１の通信を引き起こした後、イベントシステム１３８を第１のユーザデバイス１２０およびトピックに関して、第２のモードにすることができる。
【００３８】
図１２Ａに戻ると、方法１２００では、任意選択の動作１２１０において、イベントシステムを、ユーザデバイスおよびトピックに関して、第２のモードにした後、トピックに関連する第２の情報項目が情報メモリに入力され得る。例えば、図１および図６を参照すると、イベントシステム１３８を、第１のユーザデバイス１２０およびトピックに関して、第２のモードにした後、トピックに関連する第２の情報項目（例えば、部品＃１の潜在的な購入者に対する第２のセールスリード（例えば、Ｅｌｌｉｅ  Ｅｃｈｏ））が情報メモリ１３４に入力され得る。
【００３９】
図１２Ａに戻ると、第２の情報項目は、複数の第２の情報項目であり得る。例えば、任意選択の動作１２１０において、イベントシステムを、ユーザデバイスおよびトピックに関して、第２のモードにした後、トピックに関連する複数の第２の情報項目が情報メモリに入力され得る。例えば、図１および図６を参照すると、イベントシステム１３８が、第１のユーザデバイス１２０およびトピックに関して、第２のモードにされた後、トピックに関連する複数の第２の情報項目（例えば、部品＃１の潜在的な購入者に対する第２のセールスリード（例えば、Ｅｌｌｉｅ  Ｅｃｈｏ）および部品＃１の潜在的な購入者に対する第３のセールスリード（例えば、Ｇｉｎａ  Ｇｏｌｆ））が情報メモリ１３４に入力され得る。
【００４０】
図１２Ａに戻ると、方法１２００では、動作１２１２において、プロセッサは、ユーザデバイスから第１の信号を受信して、イベントシステムを、ユーザデバイスおよびトピックに関して第２のモードから第１のモードに切り替えることができる。例えば、図１を参照すると、プロセッサ１３２は、第１のユーザデバイス１２０から第１の信号を受信して、イベントシステム１３８を第１のユーザデバイス１２０およびトピックに関して、第２のモードから第１のモードに切り替えることができる。
【００４１】
図１２Ａに戻ると、方法１２００において、任意選択の動作１２１４において、プロセッサは、プロセッサとユーザデバイスとの間のネットワーク帯域幅容量の測定値を得ることができる。例えば、図１を参照すると、プロセッサ１３２は、プロセッサ１３２と第１のユーザデバイス１２０との間のネットワーク帯域幅容量の測定値を決定することができる代替的または追加的に、プロセッサ１３２は、外部ソース（図示せず）から、プロセッサ１３２と第１のユーザデバイス１２０との間のネットワーク帯域幅容量の測定値を受信することができる。
【００４２】
図１２Ａに戻ると、本方法１２００では、任意選択の動作１２１６において、プロセッサは、ネットワーク帯域幅容量の測定値に基づいて、一定時間内にユーザデバイスに通信可能な情報項目の数を決定することができる。例えば、図１を参照すると、プロセッサ１３２は、ネットワーク帯域幅容量の測定値に基づいて、一定時間内に第１のユーザデバイス１２０に通信可能な情報項目の数（例えば、１）を決定することができる。
【００４３】
図１２Ａに戻ると、方法１２００では、任意選択の動作１２１８において、プロセッサは、第２の情報項目のユーザデバイスへの第２の通信を引き起こすことができる。第２の通信は、イベントシステムが、ユーザデバイスおよびトピックに関して第１のモードにあることに少なくとも部分的に基づくことができる。例えば、図１および図６を参照すると、プロセッサ１３２は、第２の情報項目（例えば、部品＃１の潜在的な購入者に対する第２のセールスリード（例えば、Ｅｌｌｉｅ  Ｅｃｈｏ））の第１のユーザデバイス１２０への第２の通信を引き起こすことができる。
【００４４】
図１２Ａに戻ると、第２の情報項目は、複数の第２の項目であり得る。例えば、任意選択の動作１２１０において、イベントシステムが、ユーザデバイスおよびトピックに関して、第２のモードにされた後、トピックに関連する複数の第２の情報項目が情報メモリに入力され得る。例えば、図１および図６を参照すると、イベントシステム１３８が、第１のユーザデバイス１２０およびトピックに関して、第２のモードにされた後、トピックに関連する複数の第２の情報項目（例えば、部品＃１の潜在的な購入者に対する第２のセールスリード（例えば、Ｅｌｌｉｅ  Ｅｃｈｏ）および部品＃１の潜在的な購入者に対する第３のセールスリード（例えば、Ｇｉｎａ  Ｇｏｌｆ））が情報メモリ１３４に入力され得る。
【００４５】
図１２Ａに戻ると、動作１２１８の変形では、第２の通信は、その複数の第２の情報項目の数と、一定時間内に第１のユーザデバイスに通信可能な第２の情報項目の数うちのより少ない方の通信とすることができる。例えば、図１および図６を参照すると、第２の通信は、複数の第２の情報項目（例えば、２）と、一定時間内に第１のユーザデバイスに通信可能な第２の情報項目（例えば、１）のうちのより少ない数の通信とすることができる。すなわち、この例では、プロセッサ１３２は、第２の情報項目（例えば、Ｅｌｌｉｅ  ＥｃｈｏまたはＧｉｎａ  Ｇｏｌｆ）のうちの１つの通信を引き起こすことができる。
【００４６】
図１２Ａに戻ると、動作１２１２および１２１８の変形において、第１の信号は、値を含むことができる。その値は、第２の情報項目の要求された数にすることができる。第２の通信は、複数の第２の情報項目と要求された数の第２の情報項目のうちのより少ない方の通信とすることができる。例えば、図１および図６を参照すると、第１の信号は値（例えば、１）を含むことができる。その値は、第２の情報項目の要求された数にすることができる。第２の通信は、複数の第２の情報項目（例えば、２）および要求された数の第２の情報項目（例えば、１）うちのより少ない数の通信とすることができる。すなわち、この例では、プロセッサ１３２は、第２の情報項目（例えば、Ｅｌｌｉｅ  ＥｃｈｏまたはＧｉｎａ  Ｇｏｌｆ）のうちの１つの通信を引き起こすことができる。
【００４７】
図１２Ａに戻ると、動作１２１２および１２１８の変形において、第１の信号は、値を含むことができる。値は、情報項目を受信するための、ユーザデバイスのユーザデバイスメモリの利用可能なメモリ容量に関する情報であり得る。例えば、利用可能なメモリ容量に関する情報は、利用可能なメモリ容量が、１つの追加の情報項目を受信するのに十分であるということであり得る。第２の通信は、その複数の第２の情報項目の数と、利用可能なメモリ容量に関する情報に対応する複数の第２の情報項目の数のうちのより少ない方の通信とすることができる。例えば、図１、図６、および図１１を参照すると、第１の信号は、第１のユーザデバイス１２０のユーザデバイスメモリ１１０４の利用可能なメモリ容量に関する情報に関する値を含むことができ、１つの追加の情報項目を受信するための利用可能なメモリ容量に対応する情報項目を受信することができる。第２の通信は、複数の第２の情報項目の数（例えば、２）と、利用可能なメモリ容量に関する情報に対応する第２の情報項目の数（例えば、１）のうちのより少ない方の通信とすることができる。すなわち、この例では、プロセッサ１３２は、第２の情報項目（例えば、Ｅｌｌｉｅ  ＥｃｈｏまたはＧｉｎａ  Ｇｏｌｆ）のうちの１つの通信を引き起こすことができる。
【００４８】
図１２Ａに戻ると、動作１２０８、１２１０、１２１２、および１２１８の変形において、プロセッサは、第１の時間において、イベントシステムを、ユーザデバイスおよびトピックに関して、第２のモードにすることができる。複数の第２の情報項目の第１の部分は、第１の時間と第２の時間との間に情報メモリに入力され得る。複数の第２の情報項目の第２の部分は、第２の時間と第３の時間との間に情報メモリに入力され得る。第１の信号は、第３の時間において受信され得る。第２の通信は、複数の第２の情報項目の第１の部分の通信であってもよい。代替的には、第２の通信は、複数の第２の情報項目の第２の部分の通信であってもよい。例えば、図１および図６を参照すると、プロセッサ１３２は、第１の時間（例えば、ｔ２）において、イベントシステム１３８を第１のユーザデバイス１２０およびトピックに関して、第２のモードにすることができる。複数の第２の情報項目の第１の部分（例えば、Ｅｌｌｉｅ  Ｅｃｈｏ）は、第１の時間（ｔ２）と第２の時間（例えば、ｔ５）との間に情報メモリ１３４に入力され得る。複数の第２の情報項目の第２の部分（例えば、Ｇｉｎａ  Ｇｏｌｆ）は、第２の時間（ｔ５）と第３の時間（例えば、ｔ７）との間に情報メモリ１３４に入力され得る。第１の信号は、第３の時間（ｔ７）において受信され得る。第２の通信は、複数の第２の情報項目の第１の部分（例えば、Ｅｌｌｉｅ  Ｅｃｈｏ）の通信とすることができる。代替的には、第２の通信は、複数の第２の情報項目の第２の部分（例えば、Ｇｉｎａ  Ｇｏｌｆ）の通信とすることができる。
【００４９】
図１２Ａに戻ると、動作１２２０において、第１の信号を受信した後、トピックに関連する第３の情報項目が情報メモリに入力され得る。例えば、図１および図６を参照すると、トピックに関連する第４の情報項目（例えば、部品＃１の潜在的な購入者に対する第４のセールスリード（例えば、ＩＩａｎａ  Ｉｎｄｉａ））が情報メモリ１３４に入力され得る。
【００５０】
図１２Ａに戻ると、動作１２２２において、プロセッサは、第３の情報項目のユーザデバイスへの第３の通信を引き起こすことができる。第３の通信は、イベントシステムが、ユーザデバイスおよびトピックに関して第１のモードにあることに少なくとも部分的に基づくことができる。例えば、図１および図６を参照すると、プロセッサ１３２は、第４の情報項目（例えば、部品１（例えば、ＩＩａｎａ  Ｉｎｄｉａ）の潜在的な購入者に対する第４のセールスリード）の第１のユーザデバイス１２０への第３の通信を引き起こすことができる。
【００５１】
このようにして、第１のユーザデバイス１２０に関連する個人（例えば、Ａｎｎｅ  Ａｌｐｈａ）は、イベントシステム１３２を個人にとって都合のよい時間にプッシュモードに置くような方法でイベントシステム１３８を動作させることができる。これは、第１のユーザデバイス１２０が、そうでなければ、情報項目を拒否し、情報項目の拒否を示すメッセージのイベントシステム１３８への通信を引き起こす可能性がある状況を回避することができる。これは、メッセージを処理するために消費される時間が、イベントシステム１３８が他の情報項目を処理する能力を妨害する（例えば、遅延を生じさせる）ようなメッセージを、イベントシステム１３８が処理する必要を生じることを回避することができる。さらに、イベントシステム１３８がプッシュモードに置かれるタイミングを、第１のユーザデバイス１２０に関連する個人（例えば、Ａｎｎｅ  Ａｌｐｈａ）が制御することを可能にすることにより、イベントシステム１３８がプルモードで動作した場合に必要となるように、第１のユーザデバイス１２０に関連する個人（例えば、Ａｎｎｅ  Ａｌｐｈａ）が情報項目の繰り返し要求を通信する必要を回避することもできる。これは、反復された要求を処理するために消費される時間が、イベントシステム１３８が他の情報項目を処理する能力を妨害する（例えば、遅延を引き起こす）ような反復された要求を、イベントシステム１３８が処理する必要を生じることを回避することができる。
【００５２】
図１２Ａに戻ると、任意選択の動作１２２４において、プロセッサは、ユーザデバイスから第２の信号を受信して、イベントシステムを、ユーザデバイスおよびトピックに関して、第２のモードにすることができる。例えば、図１を参照すると、プロセッサ１３２は、第１のユーザデバイス１２０から第２の信号を受信して、イベントシステム１３８を、第１のユーザデバイス１２０および第１のトピックに関して、第２のモードにすることができる。
【００５３】
図１３Ａおよび１３Ｂは、開示された技術による、情報項目を通信するための方法１３００の一例を図示するフロー図である。方法１３００は、方法１２００の変形である。方法１３００では、動作１３０２において、第１のトピックに関連する第１の情報項目が情報メモリに入力され得る。例えば、図１および図６を参照すると、第１のトピックに関連する第１の情報項目（例えば、部品２の潜在的な購入者に対する第１のセールスリード（例えば、Ｆｒａｎｋ  Ｆｏｘｔｒｏｔ））が情報メモリ１３４に入力され得る。
【００５４】
図１３Ａに戻ると、方法１３００では、動作１３０４において、プロセッサは、第１の情報項目のユーザデバイスへの第１の通信を引き起こすことができる。第１の通信は、イベントシステムが、ユーザデバイスおよび第１のトピックに関して第１のモードにあることに少なくとも部分的に基づくことができる。第１のモードは、ユーザデバイスからの要求なしに、情報の項目の情報メモリへの入力に応答して、情報項目のユーザデバイスへの通信をイベントシステムにさせる構成とすることができる。ユーザデバイスは、第１のトピックに関連する情報項目を受信するための第１のサブスクリプションを有するエンティティと関連付けられ得る。例えば、図１および図６を参照すると、プロセッサ１３２は、第１の情報項目（例えば、部品＃２の潜在的な購入者に対する第１のセールスリード（例えば、Ｆｒａｎｋ  Ｆｏｘｔｒｏｔ））の第３のデバイス１２４への第１の通信を引き起こすことができる。
【００５５】
図１３Ａに戻ると、方法１３００では、動作１３０６において、プロセッサは、第１の通信を引き起こした後、イベントシステムをユーザデバイスおよび第１のトピックに関して、第２のモードにすることができる。第２のモードは、イベントシステムに、情報項目のユーザデバイスへの通信を控えさせるようにした構成とすることができる。例えば、図１を参照すると、プロセッサ１３２は、第１の通信を引き起こした後、イベントシステム１３８を第３のユーザデバイス１２４および第１のトピックに関して第２のモードにすることができる。
【００５６】
図１３Ａに戻ると、方法１３００では、動作１３０８において、プロセッサは、ユーザデバイスから第１の信号を受信して、イベントシステムを、ユーザデバイスおよび第１のトピックに関して、第２のモードから第１のモードに切り替えることができる。例えば、図１を参照すると、プロセッサ１３２は、第３のユーザデバイス１２４から第１の信号を受信して、イベントシステム１３８を第３のユーザデバイス１２４および第１のトピックに関して、第２のモードから第１のモードに切り替えることができる。
【００５７】
図１３Ａに戻ると、方法１３００では、動作１３１０において、第１のトピックに関連する第２の情報項目が、第１の信号を受信した後に、情報メモリに入力され得る。例えば、図１および図６を参照すると、第１のトピックに関連する第２の情報項目（例えば、部品＃２（例えば、Ｈｅｎｒｙ  Ｈｏｔｅｌ）の潜在的な購入者に対する第２のセールスリード）が情報メモリ１３４に入力され得る。
【００５８】
図１３Ａに戻ると、方法１３００において、動作１３１２では、プロセッサは、第２の情報項目のユーザデバイスへの第２の通信を引き起こすことができる。第２の通信は、イベントシステムが、ユーザデバイスおよび第１のトピックに関して第１のモードにあることに少なくとも部分的に基づくことができる。例えば、図１および図６を参照すると、プロセッサ１３２は、第２の情報項目（例えば、部品＃２の潜在的な購入者に対する第２のセールスリード（例えば、Ｈｅｎｒｙ  Ｈｏｔｅｌ））の第３のユーザデバイス１２４への第２の通信を引き起こすことができる。
【００５９】
図１３Ｂを参照すると、方法１３００では、動作１３１４において、第２のトピックに関連する第３の情報項目が情報メモリに入力され得る。例えば、図１および図６を参照すると、第２のトピックに関連する第３の情報項目（例えば、部品＃３の潜在的な購入者に対する第１のセールスリード（例えば、Ｇｉｎａ  Ｇｏｌｆ））が情報メモリ１３４に入力され得る。
【００６０】
図１３Ｂに戻ると、方法１３００において、動作１３１６では、プロセッサは、第３の情報項目の第３のユーザデバイスへの第３の通信を引き起こすことができる。第３の通信は、イベントシステムが、ユーザデバイスおよび第２のトピックに関して第１のモードにあることに少なくとも部分的に基づくことができる。エンティティは、第２のトピックに関連する情報項目を受信するための第２のサブスクリプションを有することができる。例えば、図１および図６を参照すると、プロセッサ１３２は、第３の情報項目（例えば、部品３の潜在的な購入者に対する第１のセールスリード（例えば、Ｇｉｎａ  Ｇｏｌｆ））の第３のユーザデバイス１２４への第３の通信を引き起こすことができる。
【００６１】
図１３Ｂに戻ると、方法１３００では、動作１３１８において、プロセッサは、第３の通信を生じさせた後、イベントシステムをユーザデバイスおよび第２のトピックに関して第２のモードにすることができる。例えば、図１を参照すると、プロセッサ１３２は、第３の通信を生じさせた後、イベントシステム１３８を第３のユーザデバイス１２４および第２のトピックに関して第２のモードにすることができる。
【００６２】
図１３Ｂに戻ると、方法１３００では、動作１３２０において、プロセッサは、ユーザデバイスから第２の信号を受信して、イベントシステムをユーザデバイスおよび第２のトピックに関して第２のモードから第１のモードに切り替えることができる。例えば、図１を参照すると、プロセッサ１３２は、第３のユーザデバイス１２４から第２の信号を受信して、イベントシステム１３８を第３のユーザデバイス１２４および第２のトピックに関して第２のモードから第１のモードに切り替えることができる。
【００６３】
図１３Ｂに戻ると、方法１３００において、動作１３２２において、第２の信号を受信した後、第２のトピックに関連する第４の情報項目が情報メモリに入力され得る。例えば、図１および図６を参照すると、第２のトピックに関連する第４の情報項目（例えば、部品＃３の潜在的な購入者に対する第２のセールスリード（例えば、Ｈｅｎｒｙ  Ｈｏｔｅｌ））を情報メモリ１３４に入力することができる。
【００６４】
図１３Ｂに戻ると、方法１３００では、動作１３２４において、プロセッサは、第４の情報項目のユーザデバイスへの第４の通信を引き起こすことができる。第４の通信は、イベントシステムが、ユーザデバイスおよびトピックに関して、第１のモードにあることに少なくとも部分的に基づくことができる。例えば、図１および図６を参照すると、プロセッサ１３２は、第２の情報項目（例えば、部品＃３の潜在的な購入者に対する第２のセールスリード（例えば、Ｈｅｎｒｙ  Ｈｏｔｅｌ））の第３のユーザデバイス１２４への第４の通信を引き起こすことができる。
【００６５】
図１３Ａおよび１３Ｂに戻ると、方法１３００の変形例において、プロセッサは、第１のプロセッサおよび第２のプロセッサを含むことができる。動作１３０２、１３０４、１３０６、１３０８、１３１０、および１３１２は、第１のプロセッサによって行われ得る。動作１３１４、１３１６、１３１８、１３２０、１３２２、および１３２４は、第２のプロセッサによって行われ得る。例えば、図１を参照すると、（１）第２のプロセッサ１０４は、第１のトピックに関する情報項目について動作１３０２、１３０４、１３０６、１３０８、１３１０、および１３１２を行うことができ、（２）第３のプロセッサ１０６は、第２のトピックに関する情報項目について動作１３１４、１３１６、１３１８、１３２０、１３２２、および１３２４を行うことができる。
【００６６】
図１３Ａおよび１３Ｂに戻ると、方法１３００の別の変形では、情報メモリは、第１の情報メモリおよび第２の情報メモリを含んでもよい。動作１３０２において、情報メモリに第１の情報項目を入力することは、第１の情報メモリに第１の情報項目を入力することとすることができる。動作１３１０において、情報メモリに第２の情報項目を入力することは、第１の情報メモリに第２の情報項目を入力することとすることができる。動作１３１４において、情報メモリに第３の情報項目を入力することは、第２の情報メモリに第３の情報項目を入力することとすることができる。動作１３２２において、情報メモリに第４の情報項目を入力することは、第２の情報メモリに第４の情報項目を入力することとすることができる。例えば、図１、図４、および図５を参照すると、（１）情報メモリに第１の情報項目（例えば、Ｆｒａｎｋ  Ｆｏｘｔｒｏｔ）を入力することは、第２の情報メモリ１１０に第１の情報項目（例えば、Ｆｒａｎｋ  Ｆｏｘｔｒｏｔ）を入力することとすることができ、（２）情報メモリに第２の情報項目（例えば、Ｈｅｎｒｙ  Ｈｏｔｅｌ）を入力することは、第２の情報メモリ１１０に第２の情報項目（例えば、Ｈｅｎｒｙ  Ｈｏｔｅｌ）を入力することとすることができ、（３）情報メモリに第３の情報項目（例えば、Ｇｉｎａ  Ｇｏｌｆ）を入力することは、第３の情報メモリ１１２に第３の情報項目（例えば、Ｇｉｎａ  Ｇｏｌｆ）を入力することとすることができ、（４）情報メモリに第４の情報項目（例えば、Ｈｅｎｒｙ  Ｈｏｔｅｌ）を入力することは、第３の情報メモリ１１２に第４の情報項目（例えば、Ｈｅｎｒｙ  Ｈｏｔｅｌ）を入力することとすることができる。
【００６７】
図１４Ａおよび１４Ｂは、開示された技術により、情報項目の通信方法１４００の一例を示すフロー図である。方法１４００は、方法１２００の変形である。方法１４００では、任意選択の動作１４０２で、プロセッサは、アクセス制御メモリから、トピックに関する情報項目を受信するための第１のサブスクリプションを有する第１のエンティティを識別する第１の情報の第１の検索を引き起こすことができる。例えば、図１および図１０を参照すると、プロセッサ１３２は、アクセス制御メモリ１３６から、トピックに関する情報項目（例えば、部品＃２の潜在的な購入者に対するセールスリード）を受信するための第１のサブスクリプションを有する第１のエンティティ（例えば、Ｂｒｉａｎ  Ｂｒａｖｏ）を識別する第１の情報の第１の検索を引き起こすことができる。
【００６８】
図１４Ａに戻ると、方法１４００では、任意選択の動作１４０４において、プロセッサは、アクセス制御メモリから、トピックに関する情報項目を受信するための第２のサブスクリプションを有する第２のエンティティを識別する第２の情報の第２の検索を引き起こすことができる。例えば、図１および図１０を参照すると、プロセッサ１３２は、アクセス制御メモリ１３６から、トピックに関する情報項目（部品＃２の潜在的な購入者に対するセールスリード）を受信するための第２のサブスクリプションを有する第２のエンティティ（例えば、Ｃｉｎｄｙ  Ｃｈａｒｌｅｓ）を識別する第２の情報の第２の検索を引き起こすことができる。
【００６９】
図１４Ａに戻ると、方法１４００では、動作１４０６において、トピックに関連する第１の情報項目が情報メモリに入力され得る。例えば、図１および図６を参照すると、トピックに関連する第１の情報項目（部品＃２の潜在的な購入者に対する第１のセールスリード（例えば、Ｆｒａｎｋ  Ｆｏｘｔｒｏｔ））が情報メモリ１３６に入力され得る。
【００７０】
図１４Ａに戻ると、方法１４００では、動作１４０８において、プロセッサは、第１の情報項目の第１のユーザデバイスへの第１の通信を引き起こすことができる。第１の通信は、イベントシステムが、第１のユーザデバイスおよびトピックに関して第１のモードにあることに少なくとも部分的に基づくことができる。第１のモードは、ユーザデバイスからの要求なしに、情報の項目の情報メモリへの入力に応答して、情報項目のユーザデバイスへの通信をイベントシステムにさせる構成とすることができる。第１のユーザデバイスは、トピックに関連する情報項目を受信するための第１のサブスクリプションを有する第１のエンティティと関連付けられ得る。例えば、図１および図６を参照すると、プロセッサ１３２は、第１の情報項目（例えば、部品＃２の潜在的な購入者に対する第１のセールスリード（例えば、Ｆｒａｎｋ  Ｆｏｘｔｒｏｔ））の第２のユーザデバイス１２２への第１の通信を引き起こすことができる。
【００７１】
図１４Ａに戻ると、方法１４００では、動作１４１０において、プロセッサは、第１の情報項目の第２のユーザデバイスへの第２の通信を引き起こすことができる。第２の通信は、イベントシステムが、第２のユーザデバイスおよびトピックに関して第１のモードにあることに少なくとも部分的に基づくことができる。第２のユーザデバイスは、トピックに関連する情報項目を受信するための第２のサブスクリプションを有する第２のエンティティと関連付けられ得る。例えば、図１および図６を参照すると、プロセッサ１３２は、第１の情報項目の第３のユーザデバイス１２４への第２の通信（例えば、部品２の潜在的な購入者に対する第１のセールスリード（例えば、Ｆｒａｎｋ  Ｆｏｘｔｒｏｔ））を引き起こすことができる。
【００７２】
図１４Ａに戻ると、方法１４００では、動作１４１２において、プロセッサは、第１の通信を生じさせた後、イベントシステムを第１のユーザデバイスおよびトピックに関して第２のモードにすることができる。第２のモードは、イベントシステムに、情報項目のユーザデバイスへの通信を控えさせるようにした構成とすることができる。例えば、図１を参照すると、プロセッサ１３２は、第１の通信を引き起こした後、イベントシステム１３８を第２のユーザデバイス１２２およびトピックに関して第２のモードにすることができる。
【００７３】
図１４Ｂを参照すると、方法１４００では、動作１４１４において、プロセッサは、第１のユーザデバイスから信号を受信して、イベントシステムを第１のユーザデバイスおよびトピックに関して第２のモードから第１のモードに切り替えるようにすることができる。例えば、図１を参照すると、プロセッサ１３２は、第２のユーザデバイス１２２から信号を受信して、イベントシステム１３８を第２のユーザデバイス１２２およびトピックに関して第２のモードから第１のモードに切り替えるようにすることができる。
【００７４】
図１４Ｂに戻ると、方法１４００では、動作１４１６において、信号を受信した後、トピックに関連する第２の情報項目が情報メモリに入力され得る。例えば、図１および図６を参照すると、トピックに関連する第２の情報項目（例えば、部品＃２の潜在的な購入者に対する第２のセールスリード（例えば、Ｈｅｎｒｙ  Ｈｏｔｅｌ））が情報メモリ１３４に入力され得る。
【００７５】
図１４Ｂに戻ると、方法１４００において、動作１４１８において、プロセッサは、第２の情報項目の第１のユーザデバイスへの第３の通信を引き起こすことができる。第３の通信は、イベントシステムが、第１のユーザデバイスおよびトピックに関して第１のモードにあることに少なくとも部分的に基づくことができる。例えば、図１および図６を参照すると、プロセッサ１３２は、第２の情報項目（例えば、部品＃２の潜在的な購入者に対する第２のセールスリード（例えば、Ｈｅｎｒｙ  Ｈｏｔｅｌ））の第２のユーザデバイス１２２への第３の通信を引き起こすことができる。
【００７６】
図１５Ａおよび１５Ｂは、開示された技術による、情報項目の通信方法１５００の一例を図示するフロー図である。方法１５００は、方法１２００の変形である。方法１５００では、任意選択の動作１５０２において、プロセッサは、アクセス制御メモリから、第１のトピックに関する情報項目を受信するための第１のサブスクリプションを有する第１のエンティティを識別する第１の情報の第１の検索を引き起こすことができる。例えば、図１および図１０を参照すると、プロセッサ１３２は、アクセス制御メモリ１３６から、第１のトピックに関する情報項目（例えば、部品＃１の潜在的な購入者に対するセールスリード）を受信するための第１のサブスクリプションを有する第１のエンティティ（例えば、Ａｎｎｅ  Ａｌｐｈａ）を識別する第１の情報の第１の検索を引き起こすことができる。
【００７７】
図１５Ａに戻ると、方法１５００では、任意選択の動作１５０４において、プロセッサは、アクセス制御メモリから、第２のトピックに関する情報項目を受信するための第２のサブスクリプションを有する第２のエンティティを識別する第２の情報の第２の検索を引き起こすことができる。例えば、図１および図１０を参照すると、プロセッサ１３２は、アクセス制御メモリから、第２のトピックに関する情報項目（例えば、部品＃２の潜在的な購入者に対するセールスリード）を受信するための第２のサブスクリプションを有する第２のエンティティ（例えば、Ｂｒｉａｎ  Ｂｒａｖｏ）を識別する第２の情報の第２の検索を引き起こすことができる。
【００７８】
図１５Ａに戻ると、方法１５００において、動作１５０６では、第１のトピックに関連する第１の情報項目が情報メモリに入力され得る。例えば、図１および図６を参照すると、第１のトピックに関連する第１の情報項目（例えば、部品１の潜在的な購入者に対する第１のセールスリード（例えば、Ｄａｖｅ  Ｄｅｌｔａ））が情報メモリ１３４に入力され得る。
【００７９】
図１５Ａに戻ると、方法１５００において、動作１５０８では、第２のトピックに関連する第２の情報項目が情報メモリに入力され得る。例えば、図１および図６を参照すると、第２のトピックに関連する第２の情報項目（例えば、部品２の潜在的な購入者に対する第１のセールスリード（例えば、Ｆｒａｎｋ  Ｆｏｘｔｒｏｔ））が情報メモリ１３４に入力され得る。
【００８０】
図１５Ａに戻ると、方法１５００では、動作１５１０において、プロセッサは、第１の情報項目の第１のユーザデバイスへの第１の通信を引き起こすことができる。第１の通信は、イベントシステムが、第１のユーザデバイスおよび第１のトピックに関して第１のモードにあることに少なくとも部分的に基づくことができる。第１のモードは、ユーザデバイスからの要求なしに、情報の項目の情報メモリへの入力に応答して、情報項目のユーザデバイスへの通信をイベントシステムにさせる構成とすることができる。第１のユーザデバイスは、第１のトピックに関連する情報項目を受信するための第１のサブスクリプションを有する第１のエンティティと関連付けられ得る。例えば、図１および図６を参照すると、プロセッサ１３２は、第１の情報項目（例えば、部品＃１の潜在的な購入者に対する第１のセールスリード（例えば、Ｄａｖｅ  Ｄｅｌｔａ））の第１のユーザデバイス１２０への第１の通信を引き起こすことができる。
【００８１】
図１５Ａに戻ると、方法１５００において、動作１５１２において、プロセッサは、第２の情報項目の第２のユーザデバイスへの第２の通信を引き起こすことができる。第２の通信は、イベントシステムが、第２のユーザデバイスおよび第２のトピックに関して第１のモードにあることに少なくとも部分的に基づくことができる。第２のユーザデバイスは、第２のトピックに関連する情報項目を受信するための第２のサブスクリプションを有する第２のエンティティに関連付けられ得る。例えば、図１および図６を参照すると、プロセッサ１３２は、第２の情報項目（例えば、部品２の潜在的な購入者に対する第１のセールスリード（例えば、Ｆｒａｎｋ  Ｆｏｘｔｒｏｔ））の第２のユーザデバイス１２２への第２の通信を引き起こすことができる。
【００８２】
図１５Ｂを参照すると、方法１５００において、動作１５１４では、プロセッサは、第１の通信を引き起こした後、イベントシステムを第１のユーザデバイスおよび第１のトピックに関して第２のモードにすることができる。第２のモードは、イベントシステムに、情報項目のユーザデバイスへの通信を控えさせるようにした構成とすることができる。例えば、図１を参照すると、プロセッサ１３２は、第１の通信を引き起こした後、イベントシステム１３８を第１のユーザデバイス１２０およびトピックに関して第２のモードにすることができる。
【００８３】
図１５Ｂに戻ると、方法１５００では、動作１５１６において、プロセッサは、第１のユーザデバイスから信号を受信して、イベントシステムを第１のユーザデバイスおよび第１のトピックに関して第２のモードから第１のモードに切り替えることができる。例えば、図１を参照すると、プロセッサ１３２は、第１のユーザデバイス１２０から信号を受信して、イベントシステム１３８を第１のユーザデバイス１２０および第１のトピックに関して第２のモードから第１のモードに切り替えることができる。
【００８４】
図１５Ｂに戻ると、方法１５００では、動作１５１８において、信号を受信した後に、第１のトピックに関連する第３の情報項目が情報メモリに入力され得る。例えば、図１および図６を参照すると、第１のトピックに関連する第３の情報項目（例えば、部品＃２の潜在的な購入者に対するセールスリード（例えば、Ｅｌｌｉｅ  Ｅｃｈｏ））が情報メモリに入力され得る。
【００８５】
図１５Ｂに戻ると、方法１５００では、動作１５２０において、プロセッサは、第３の情報項目の第１のユーザデバイスへの第３の通信を引き起こすことができる。第３の通信は、イベントシステムが、第１のユーザデバイスおよび第１のトピックに関して第１のモードにあることに少なくとも部分的に基づくことができる。例えば、図１および図６を参照すると、プロセッサ１３２は、第３の情報項目（例えば、部品１の潜在的な購入者に対する第２のセールスリード（例えば、Ｅｌｌｉｅ  Ｅｃｈｏ））の第３のユーザデバイス１２０への第３の通信を引き起こすことができる。
【００８６】
図１５Ａを参照すると、方法１５００の変形例では、アクセス制御メモリは、第１のアクセス制御メモリおよび第２のアクセス制御メモリを含むことができる。動作１５０２では、第１の情報のアクセス制御メモリからの第１の検索は、第１の情報の第１のアクセス制御メモリからの第１の検索とすることができる。動作１５０４では、第２の情報のアクセス制御メモリからの第２の検索は、第２の情報の第２のアクセス制御メモリからの第２の検索とすることができる。例えば、図１、図７、および図８を参照すると、（１）第１の情報（例えば、Ａｎｎｅ  Ａｌｐｈａ）のアクセス制御メモリからの第１の検索は、第１の情報（例えば、Ａｎｎｅ  Ａｌｐｈａ）の第１のアクセス制御メモリ１１４からの第１の検索とすることができ、（２）第２の情報（例えば、Ｂｒｉａｎ  Ｂｒａｖｏ）のアクセス制御メモリからの第２の検索は、第２の情報（例えば、Ｂｒｉａｎ  Ｂｒａｖｏ）の第２のアクセス制御メモリ１１６からの第２の検索とすることができる。
【００８７】
情報項目を通信するための種々の実装は、これらのプロセスを実施するためのコンピュータに実装されたプロセスおよび装置の形態を含むことができるか、またはそれらの形態で実装され得る。実装はまた、フロッピー・ディスケット、コンパクト・ディスク読み取り専用メモリ（ＣＤ−ＲＯＭ）、ハード・ドライブ、ユニバーサル・シリアル・バス（ＵＳＢ）ドライブ、または他の任意の機械可読記憶媒体のような非一時的および／または有形媒体に実装された命令を含むコンピュータ・プログラム・コードを有するコンピュータ・プログラム製品の形態で実装されることができ、コンピュータ・プログラム・コードがコンピュータにロードされ、コンピュータによって実行されると、コンピュータは情報項目を通信するための実装を実施するための装置となる。
【００８８】
実装はまた、例えば、記憶媒体に記憶されるか、コンピュータにロードされ、および／または、コンピュータによって実行されるか、または、電気配線もしくはケーブルを介して、ファイバ・オプティクスを介して、もしくは電磁放射を介してなど、なんらかの伝送媒体を介して送信されるかにかかわらず、コンピュータ・プログラム・コードの形態で実装されることができ、コンピュータ・プログラム・コードは、コンピュータにロードされ、かつ、コンピュータによって実行されるときに、コンピュータが情報項目を通信するための実装を実施するための装置となる。
【００８９】
汎用マイクロプロセッサで実装されるときに、コンピュータ・プログラム・コードのセグメントが、特定の論理回路を生成するようにマイクロプロセッサを構成する。いくつかの構成では、コンピュータ可読記憶媒体上に記憶された一組のコンピュータ可読命令は、汎用プロセッサによって実装されることができ、汎用プロセッサまたは汎用プロセッサを含むデバイスを、命令を実装または実行するように構成された専用装置に変換することができる。
【００９０】
実装は、汎用マイクロプロセッサおよび／またはハードウェアおよび／またはファームウェアにおける開示された主題の実装に従って技術の全部または一部を実装する特定用途向け集積回路（ＡＳＩＣ）などのプロセッサを含むことができるハードウェアを使用して実装され得る。プロセッサは、ランダム・アクセス・メモリ（ＲＡＭ）、読み取り専用メモリ（ＲＯＭ）、フラッシュ・メモリ、ハード・ディスク、または電子情報を記憶することができる他の任意のデバイスなどのメモリに結合され得る。メモリは、情報項目を通信するための技術を行うためにプロセッサによって実行されるように適合された命令を記憶することができる。
【００９１】
説明を目的として、上述の説明は、特定の実装を参照して説明されている。しかしながら、上記の例示的な説明は、網羅的であること、または開示された主題の実装を開示された正確な形態に限定することを意図したものではない。上記の教示を考慮すると、多くの修正および変形が可能である。実装は、開示された主題の実装の原理およびそれらの実用的な用途を説明するために選択され、説明され、それにより、当業者が、企図される特定の使用に適した様々な修正を施した様々な実装と同様に、それらの実装を利用することを可能にする。
【図１】
2021530795.tif 000003
【図２】
2021530795.tif 000004
【図３】
2021530795.tif 000005
【図４】
2021530795.tif 000006
【図５】
2021530795.tif 000007
【図６】
2021530795.tif 000008
【図７】
2021530795.tif 000009
【図８】
2021530795.tif 000010
【図９】
2021530795.tif 000011
【図１０】
2021530795.tif 000012
【図１１】
2021530795.tif 000013
【図１２Ａ】
2021530795.tif 000014
【図１２Ｂ】
2021530795.tif 000015
【図１３Ａ】
2021530795.tif 000016
【図１３Ｂ】
2021530795.tif 000017
【図１４Ａ】
2021530795.tif 000018
【図１４Ｂ】
2021530795.tif 000019
【図１５Ａ】
2021530795.tif 000020
【図１５Ｂ】
2021530795.tif 000021
【国際調査報告】
2021530795.tif 000022
2021530795.tif 000023